(57)【要約】【課題】  地震力のみで作動し、震度の計測及び保守管理が容易であるとともに、製作も容易な簡易震度計を提供する。【解決手段】  震度計１０は、上面１２Ａに多角形状の筒２０Ａ〜２０Ｃが設けられた受け台１２と、前記筒２０Ａ〜２０Ｃ上に乗せられる複数の球体３０により構成されている。前記複数の球体３０は、全て略同一形状・同一質量の軽量な球体である。また、前記受け台１２は、例えば、紙であって、適宜位置に折り曲げ線や糊しろが設けられた型紙を組み立てて形成される。前記筒２０Ａ〜２０Ｃは、観測目標震度に応じて、角数がそれぞれ異なっており、これらを受け台１２に配置することにより、地震のときに、どの筒の上から球体が落下したかを観測することで、最大震度を的確に把握することが可能となる。【選択図】図１
0003116228.tif 000002
【実用新案登録請求の範囲】
【請求項１】
略同一形状及び同一質量の複数の球体，
形状又は大きさの少なくとも一方が異なっており、前記複数の球体がそれぞれ異なる地震の震度に対応して落下するように、該複数の球体を受ける複数のボール受部，
該複数のボール受部が略水平面上に形成された受け台，
を備えたことを特徴とする簡易震度計。
【請求項２】
前記ボール受部が、多角形の筒ないし孔であることを特徴とする請求項１記載の簡易震度計。
【請求項３】
前記球体が軽量球体であるとともに、前記受け台が、紙の組み立てにより形成された立体物であることを特徴とする請求項１又は２記載の簡易震度計。
【請求項４】
前記球体と、前記受け台又はボール受部を繋ぐとともに、前記震度に対応した球体の落下を妨げない長さに設定された紐状体，
を備えたことを特徴とする請求項１〜３のいずれかに記載の簡易震度計。
【請求項５】
前記受け台に設けられており、前記複数のボール受部に対応する震度の危険度を表わす着色ないし表示，
を備えたことを特徴とする請求項１〜４のいずれかに記載の簡易震度計。
【請求項６】
略同一形状及び同一質量の複数の軽量な球体，
多角形の孔ないし筒であって、形状又は大きさの少なくとも一方が異なっており、前記複数の球体がそれぞれ異なる地震の震度に対応して落下するように、該複数の球体を受ける複数のボール受部，
該複数のボール受部が略水平面上に形成されており、紙の組み立てによって形成される受け台，
前記受け台に設けられており、前記複数のボール受部に対応する震度の危険度を表わす着色ないし表示，
を備えたことを特徴とする簡易震度計。
【考案の詳細な説明】
【技術分野】
【０００１】
本考案は、地震の震度を計測する簡易震度計に関し、更に具体的には、維持管理及び製作の容易性の改善に関するものである。
【背景技術】
【０００２】
地震時の震度を計測する方法としては、従来、ばね振り子の原理を応用した方法（振り子式）並びに、地振動により鋼球が受台から落下する原理を応用した方法（落球式）などがある（例えば下記特許文献１参照）。
【特許文献１】実開昭６１−６９１２５号
【考案の開示】
【考案が解決しようとする課題】
【０００３】
しかしながら、以上のような背景技術は、いずれも金属材料や精密な電子部品で構成され、その加工及び組み立てに高度な精密さを要することから、高い技術が必要であり、生産コストも高いものとなっている。また、震度の計測時，記録時，不意に発生する地震を的確に捉えるための待機時，において常時電力などを要するとともに、定期的な保守も必要であることから、防災ないし学術的な観測を目的とする以外には、普及をみていないのが現状である。このため、一般家庭などで震度を計測することは困難であり、ニュースなどを頼りにする以外には、地震の震度を知るすべがない。
【０００４】
本考案は、以上の点に着目したもので、その目的は、地震力のみで作動して計測や保守管理が容易であるとともに、製作も容易な簡易震度計を提供することである。
【課題を解決するための手段】
【０００５】
前記目的を達成するため、本考案の簡易震度計は、略同一形状及び同一質量の複数の球体，形状又は大きさの少なくとも一方が異なっており、前記複数の球体がそれぞれ異なる地震の震度に対応して落下するように、該複数の球体を受ける複数のボール受部，該複数のボール受部が略水平面上に形成された受け台，を備えたことを特徴とする。
【０００６】
主要な形態の一つは、前記ボール受部が、多角形の筒ないし孔であることを特徴とする。他の形態は、前記球体が軽量球体であるとともに、前記受け台が、紙の組み立てにより形成された立体物であることを特徴とする。更に他の形態は、前記球体と、前記受け台又はボール受部を繋ぐとともに、前記震度に対応した球体の落下を妨げない長さに設定された紐状体，を備えたことを特徴とする。更に他の形態は、前記受け台に設けられており、前記複数のボール受部に対応する震度の危険度を表わす着色ないし表示，を備えたことを特徴とする。
【０００７】
他の考案の簡易震度計は、略同一形状及び同一質量の複数の軽量な球体，多角形の孔ないし筒であって、形状又は大きさの少なくとも一方が異なっており、前記複数の球体がそれぞれ異なる地震の震度に対応して落下するように、該複数の球体を受ける複数のボール受部，該複数のボール受部が略水平面上に形成されており、紙の組み立てによって形成される受け台，前記受け台に設けられており、前記複数のボール受部に対応する震度の危険度を表わす着色ないし表示，を備えたことを特徴とする。本考案の前記及び他の目的，特徴，利点は、以下の詳細な説明及び添付図面から明瞭になろう。
【考案の効果】
【０００８】
本考案は、略同一形状及び同一質量の複数の球体を、受け台の略水平面上に形成された複数のボール受部で受けるとともに、該ボール受部の形状又は大きさの少なくとも一方を変化させることによって、該ボール受部上の各球体が、それぞれ異なる地震の震度に対応して落下するようにした。このため、動力を要することなく、地震の震度を計測でき、かつ、保守管理も容易であるという効果が得られる。また、軽量球体を用い、前記受け台を紙の組み立てにより形成することで、製作が容易となり、広く防災意識を啓発するために役立てることが可能となる。
【考案を実施するための最良の形態】
【０００９】
以下、本考案を実施するための最良の形態を、実施例に基づいて詳細に説明する。
【実施例１】
【００１０】
最初に、図１及び図２を参照しながら、本考案の実施例１を説明する。図１(A)は、本実施例の斜視図，図１(B)は本実施例の筒（ないし孔）の震度階設定例を示す図である。図２は、本実施例の震度計の受け台を構成する型紙を展開した平面図である。図１に示すように、本実施例の震度計１０は、上面１２Ａに多角形状の筒２０Ａ〜２０Ｃが設けられた受け台１２と、前記筒２０Ａ〜２０Ｃ上に乗せられる複数の球体３０により構成されている。前記複数の球体３０は、全て略同一形状・同一質量の軽量な球体であり、例えば、国際的に直径及び質量が規定されている卓球球技用ボール等の軽量な球体が利用されるが、他の公知の各種の球体を利用するようにしてもよい。
【００１１】
前記受け台１２は、本実施例では、例えば、紙により構成されており、図２に示す型紙ＰＡ〜ＰＥの組み立てにより形成される。まず、型紙ＰＡは、前記受け台１２の側面１２Ｂ，上面１２Ａ，側面１２Ｃ及び１２Ｄ，底面１２Ｆが連続して形成されており、面の境目に当たる位置に折り曲げ線１４が設けられるとともに、適宜位置に、組み立て時に糊付けするための糊しろ１６が形成されている。また、側面１２Ｅの型紙ＰＢは、前記型紙ＰＡとは別体に形成されているが、もちろん、前記型紙ＰＡと連続して形成するようにしてもよい。更に、前記筒２０Ａ〜２０Ｃを形成するための型紙ＰＣ〜ＰＥが用意されており、これらにも、適宜位置に折り曲げ線１４や糊しろ１６が形成されている。前記型紙ＰＣ〜ＰＥを折り曲げて形成される多角形の筒２０Ａ〜２０Ｃは、前記上面１２Ａの適宜位置に示された貼付位置１８Ａ〜１８Ｃに、糊しろ１６を接着することにより、受け台１２に取り付けられる。更に、底面１２Ｆの両端には、テーブルなどの設置面に固定するための突出片２４が設けられている。
【００１２】
本実施例では、前記筒２０Ａが３角形，筒２０Ｂが４角形，筒２０Ｃが５角形となっている。これら形状及び大きさは、地震が起きたときに、前記筒２０Ａ〜２０Ｃ上の球体３０が、それぞれ「震度３」，「震度４〜５弱」，「震度５強」のときに落下するように予め設定されており、前記上面１２Ａには、各筒に対応する震度を示す表示２２Ａ〜２２Ｃが設けられている。なお、本実施例では、図１(A)に示すように、３つの筒２０Ａ〜２０Ｃを設けることとしたが、図１(B)に示すように、３角形の筒２０Ａが震度３，４角形の筒２０Ｂが震度４，５角形の筒２０Ｃが震度５，６角形の筒２０Ｄが震度６，７角形の筒２０Ｅが震度７に対応するというように、更に大きな震度まで観測できるように多数の筒を設けるようにしてもよい。
【００１３】
本発明により計測しうる震度階は、球体３０の直径及び質量が一定の場合、多角形の角数及び辺長により一意に決定される。例えば、図１(B)に示す例では、多角形の辺長がそれぞれ１２ｍｍに設定されている。このような角数及び辺長は、例えば、計算や地震体験装置などを利用したテスト結果に基づいて設定される。このことから、観測目標震度に応じて、角数及び辺長の異なる筒２０Ａ〜２０Ｅを、受け台１２に複数配置することにより、各震度階を的確に把握することが可能となる。
【００１４】
次に、本実施例の作用を説明する。型紙ＰＡを折り曲げ線１４に沿って折り曲げ、糊しろ１６と適宜位置で糊付けし、更に型紙ＰＢも貼り合せて受け台１２を組み立てる。更に、型紙ＰＣ〜ＰＥを折り曲げて筒２０Ａ〜２０Ｃを組み立て、糊しろ１６を、上面１２Ａの貼付位置１８Ａ〜１８Ｃに合わせて接着する。そして、底面１２Ｆの突出片２４を、例えば、テーブルや棚などの任意の設置場所に粘着テープなどで固定し、最後に、筒２０Ａ〜２０Ｃの上に球体３０を乗せる。平常時には、球体３０は、筒２０Ａ〜２０Ｃ上から落下することはないが、地震が起きると、その震度に対応して球体３０が落下する。例えば、震度３の地震のときは、筒２０Ａ上の球体３０のみが落下し、震度４又は５弱の地震が生じたときは、筒２０Ａ，２０Ｂ上の２つの球体３０が落下し、震度５強以上の地震が発生したときは、全ての筒２０Ａ〜２０Ｃ上の３つの球体３０が落下するという具合である。観測者は、球体３０が落ちた部分の筒に対応する表示２２Ａ〜２２Ｃを確認することにより、容易に震度を知ることができる。
【００１５】
このように、実施例１によれば、次のような効果がある。
(1)略同一形状及び同一質量の複数の球体３０を、受け台上面１２Ａに設けられた筒２０Ａ〜２０Ｃで受けるとともに、該筒２０Ａ〜２０Ｃの形状及び大きさを変化させることによって、前記筒２０Ａ〜２０Ｃ上の各球体３０が、それぞれ異なる地震の震度に対応して落下するようにした。このため、地震時の運動エネルギーのみによって作動し、震度を的確に把握することができる。また、動力を必要としないため、保守管理も容易である。
(2)球体３０として軽量球体を利用するとともに、受け台１２を紙で組み立てることとしたので年少者でも容易に製作ができ、かつ、コストを低減することができる。
(3)簡易な構造で精度よく震度を計測することができることから、広く防災意識を啓発するために役立てることが可能となる。
(4)本実施例の震度計１０の設置により、自動的かつ容易に地震時の最大震度を観測しうるとともに、地震発生から最大震度が生じるまでの間における経時的な地震動の変動についても、球体３０の振動状況等を時系列に観測することにより、観測が可能となる。
【実施例２】
【００１６】
次に、図３(A)を参照しながら、本考案の実施例２を説明する。なお、上述した実施例１と同一ないし対応する構成要素には、同一の符号を用いることとする（以下の実施例についても同様）。本実施例の震度計４０は、基本的には上述した実施例１と同様であるが、震度計の作動により脱落した球体３０の散乱や、脱落した球体３０を踏むことによる二次的な被害の発生を防止するために、受け台１２と球体３０を繋ぐ紐４４が設けられている。該紐４４は、筒２０Ａ〜２０Ｃからの球体３０の落下を妨げることがない長さに予め設定されている。また、前記実施例１の表示２２Ａ〜２２Ｃに加え、震度に応じた危険度を表わすための着色４２が上面１２Ａに設けられている。本実施例の基本的作用・効果は、上述した実施例１と同様であるが、本実施例によれば、前記実施例１の効果に加え、受け台１２の着色４２により、観測した震度の危険性を視覚的に把握できるとともに、球体３０と受け台１２を紐４４でつなぐことにより、球体３０の紛失や踏みつけなどを防止することができる。
【実施例３】
【００１７】
次に、図３(B)を参照しながら、本考案の実施例３を説明する。上述した実施例１及び２では、受け台１２の上面１２Ａに筒２０Ａ〜２０Ｃを設けることとしたが、本実施例の震度計５０では、前記上面１２Ａに、多角形の孔５２Ａ〜５２Ｃが形成されている。このように、筒の代わりに、形状及び大きさが異なる孔５２Ａ〜５２Ｃを設けて球体３０を受けるようにしても、上述した実施例１と同様の効果が得られる。なお、本実施例においても、前記実施例２に示す着色４２や紐４４を、必要に応じて設けるようにしてもよい。
【００１８】
なお、本考案は、上述した実施例に限定されるものではなく、本考案の要旨を逸脱しない範囲内において種々変更を加え得ることができる。例えば、以下のものも含まれる。
(1)前記実施例で示した形状・大きさ・材質は一例であり、必要に応じて適宜変更してよい。例えば、前記実施例１では、筒２０Ａ〜２０Ｃの形状及び大きさの双方を、計測目標とする震度階に合わせて変化させることとしたが、同一形状の筒ないし孔の大きさのみを変更するようにしてもよい。
(2)前記実施例では、球体３０として卓球ボールを好適な例として挙げたが、これも一例であり、略同一形状・同一質量の球体であれば、他の公知の各種の比較的軽量な球体全般が適用可能である。
(3)前記実施例で示した筒（ないし孔）の形状と対応する震度（震度階）の設定例も一例であり、必要に応じて適宜変更してよい。また、前記実施例は、日本国内で一般的に用いられる８階級の震度階に対応した例であるが、例えば、メルカリ震度階に対応した設定としてもよい。
(4)前記実施例２では、紐４４により球体３０の紛失防止を図ることとしたが、該紐４４の取り付け位置は一例であり、同様の効果を奏するように適宜変更可能である。また、球体３０自体を軟質もしくは脆質素材を用いたものとすることにより、落下した球体３０を踏んだときの安全性を図るようにしてもよい。
(5)受け台１２の側面に、防災に関する情報を設けるようにしてもよい。例えば、近隣の防災施設などの情報や、災害用伝言ダイヤルの番号及び電話番号を記載することにより、地震後の早急な対処を行うことができる。
【産業上の利用可能性】
【００１９】
本考案によれば、略同一形状及び同一質量の複数の球体を、受け台の略水平面上に形成された複数のボール受部で受けるとともに、該ボール受部の形状又は大きさの少なくとも一方を変化させることによって、該ボール受部上の各球体が、それぞれ異なる地震の震度に対応して落下するようにしたので、簡易的な震度計の用途に適用できる。特に、軽量球体と紙を組み立てる受け台を用いることにより、容易に製作ができるため、広く防災意識を啓発するための用途に好適である。
【図面の簡単な説明】
【００２０】
【図１】本考案の実施例を示す図であり、(A)は斜視図，(B)は震度階に対応する筒ないし孔の形状設定の一例を示す図である。
【図２】前記実施例１の受け台を構成する型紙を展開した平面図である。
【図３】本考案の他の実施例を示す図であり、(A)は実施例２を示す斜視図，(B)は実施例３を示す斜視図である。
【符号の説明】
【００２１】
１０：震度計
１２：受け台
１２Ａ：上面
１２Ｂ，１２Ｃ，１２Ｄ，１２Ｅ：側面
１２Ｆ：底面
１４：折り曲げ線
１６：糊しろ
１８Ａ，１８Ｂ，１８Ｃ：貼付位置
２０Ａ，２０Ｂ，２０Ｃ：筒
２２Ａ，２２Ｂ，２２Ｃ：表示
２４：突出片
３０：球体
４０：震度計
４２：着色
４４：紐
５０：震度計
５２Ａ，５２Ｂ，５２Ｃ：孔
ＰＡ〜ＰＥ：型紙
【図１】
0003116228.tif 000003
【図２】
0003116228.tif 000004
【図３】
0003116228.tif 000005